(57)【要約】【課題】材料となる一つの袋状部材を折り込んで複数の収納部を形成するバッグを提供する。【解決手段】バッグ１は、第一底部４と、第一底部４に対して上下方向の上側に延びる側部５とからなる袋状部材５０によって形成された第一収納部２と第二収納部３とを備える。第一収納部２は、第一底部４と、側部５の一部である第一側部５ａによって袋状に形成され、第一側部５の一部が平面方向の外側に向かって折り曲げられた第一稜線６ａによって第一開口部６が形成される。第二収納部３は、平面方向において、第一収納部２を形成する第一側部５の一部と、第一稜線６ａにて第一側部５が折り曲げられて形成された第二側部８とに挟まれて、第一収納部２の外側に環状に形成される。第二収納部３は、第二稜線９ａと、第一側部５とに囲われて平面方向に第二開口部９が形成される。【選択図】図１
2020000338.tif 000002
【特許請求の範囲】
【請求項１】
第一底部と、前記第一底部に対して上下方向の上側に延びる側部とからなる袋状部材によって形成された第一収納部と第二収納部とを備え、
前記上下方向と直交する方向を平面方向としたとき、
前記第一収納部は、前記第一底部と、前記側部の一部である第一側部によって袋状に形成され、前記側部の一部が前記平面方向の外側に向かって折り曲げられた第一稜線によって第一開口部が形成され、
前記第二収納部は、前記平面方向において、前記第一収納部を形成する前記第一側部と、前記第一稜線にて前記側部が折り曲げられて形成された第二側部とに挟まれて、前記第一収納部の外側に環状に形成され、
前記第二収納部は、前記上下方向において前記第二側部のうちの前記第一側部に連続する側とは反対側の端部である第二稜線と、前記第一側部とに囲われて、前記平面方向に第二開口部が形成されたことを特徴とするバッグ。
【請求項２】
前記第二開口部は前記第二収納部の前記上下方向の下側に形成され、前記第一開口部とは前記上下方向において逆の方向に形成されたことを特徴とする請求項１に記載のバッグ。
【請求項３】
前記第二側部における前記上下方向の下側の端部と、前記第一側部における前記上下方向の下側の端部とは、互いに接合する第一接合部材を備え、
前記第一接合部材が互いに接合することにより、前記第二開口部が閉じられて第二底部が形成されることを特徴とする請求項１又は２に記載のバッグ。
【請求項４】
前記第一稜線は、前記第一側部と前記第二側部とが接合される接合部を備えたことを特徴とする請求項２又は３に記載のバッグ。
【請求項５】
前記接合部は固定されたことを特徴とする請求項４に記載のバッグ。
【請求項６】
前記第一稜線における前記接合部は第二接合部材を備え、前記第二接合部材は分離可能であり、
前記第二接合部材を分離して前記第二側部を前記上下方向の上側の方向に伸ばしたとき、前記第一収納部のみを有することを特徴とする請求項４に記載のバッグ。
【請求項７】
前記第二側部は透明であることを特徴とする請求項１から６のいずれかに記載のバッグ。
【請求項８】
前記第一収納部の内側より前記上下方向の上側に向かって提手を備えたことを特徴とする請求項１から７のいずれかに記載のバッグ。
【発明の詳細な説明】
【技術分野】
【０００１】
本発明は、複数の収納部を有するバッグに関する。
【背景技術】
【０００２】
従来、複数の収納部を有するバッグが知られている。例えば、特許文献１に記載の濡れ物用バッグは、底部に透水手段を設けたバッグ本体と、該バッグ本体を収容自在とするカバー体とからなるものである。この構成によれば、バッグ本体と、バッグ本体及びカバー体との間の複数の箇所に物を収納することができる。
【先行技術文献】
【特許文献】
【０００３】
【特許文献１】特開２００７−２７５４８７号公報
【発明の概要】
【発明が解決しようとする課題】
【０００４】
しかしながら、従来例ではバッグ本体（内袋という）と、バッグ本体及びカバー体との間（外袋という）の複数箇所に収納部を有する。そのために、バッグ本体とカバー体とのいわゆる二つのバックを必要とする。そのために、部品点数が多くなり制作費用が高くなるという問題があった。
【０００５】
本発明の目的は、従来の課題を解決すべくなされたものであり、材料となる一つの袋状部材を折り込んで複数の収納部を形成するバッグを提供することにある。
【課題を解決するための手段】
【０００６】
本発明の態様に係るバッグは、第一底部と、前記第一底部に対して上下方向の上側に延びる側部とからなる袋状部材によって形成された第一収納部と第二収納部とを備え、前記上下方向と直交する方向を平面方向としたとき、前記第一収納部は、前記第一底部と、前記側部の一部である第一側部によって袋状に形成され、前記側部の一部が前記平面方向の外側に向かって折り曲げられた第一稜線によって第一開口部が形成され、前記第二収納部は、前記平面方向において、前記第一収納部を形成する前記第一側部と、前記第一稜線にて前記側部が折り曲げられて形成された第二側部とに挟まれて、前記第一収納部の外側に環状に形成され、前記第二収納部は、前記上下方向において前記第二側部のうちの前記第一側部に連続する側とは反対側の端部である第二稜線と、前記第一側部とに囲われて、前記平面方向に第二開口部が形成されたことを特徴とする。
【０００７】
これによれば、袋状部材によって第一収納部と第二収納部とが形成される。第一収納部は、第一底部と、側部の一部である第一側部によって袋状に形成される。第二収納部は、第一収納部を形成する第一側部と、第一稜線にて第一側部が折り曲げられて形成された第二側部とに挟まれて環状に形成され、第二稜線と、第一側部とに囲われて平面方向に第二開口部が形成される。よって、バッグは部品点数が少なくなり制作費用を安価にすることができる。
【０００８】
また、前記バッグは、第二開口部が前記第二収納部の前記上下方向の下側に形成され、前記第一開口部とは前記上下方向において逆の方向に形成されてもよい。この場合、第一開口部を上側にしてバッグを使用したとき、第二収納部には雨或いは埃等が入りにくい。また、第一開口部と第二開口部とは上下方向において互いに反対側にあるので、第一収納部及び第二収納部のそれぞれに物を収納するとき物を挿入しやすい。
【０００９】
また、前記バッグは、前記第二側部における前記上下方向の下側の端部と、前記第一側部における前記上下方向の下側の端部とは、互いに接合する第一接合部材を備え、前記第一接合部材が互いに接合することにより、前記第二開口部が閉じられて第二底部が形成されてもよい。
【００１０】
この場合、第二収納部は第二開口部が閉じられることにより第二底部が形成されるので、第一開口部を上側にしてバッグを持たれたときに、第二開口部から収納された物が落ちることを防止できる。
【００１１】
また、前記バッグは、前記第一稜線が前記第一側部と前記第二側部とが接合される接合部を備えてもよい。この場合、第一稜線が接合部によって接合されることにより、第一開口部の剛性が高まるとともに、第一開口部の上下方向における位置が変動することを防止できる。
【００１２】
また、前記バッグは、前記接合部が固定されてもよい。この場合、第一稜線における接合部が固定されることにより、第一稜線の剛性が高まるとともに、第一開口部の上下方向における位置が変動することを防止できる。
【００１３】
また、前記バッグは、前記第一稜線における前記接合部が第二接合部材を備え、前記第二接合部材は分離可能であり、前記第二接合部材を分離して前記第二側部を前記上下方向の上側の方向に伸ばしたとき、前記第一収納部のみを有してもよい。
【００１４】
この場合、バッグは使用者が第一収納部と第二収納部を有する状態と、より収納可能な量が多くなった第一収納部のみを有する状態とを選択して使用することができるので、使用用途に応じて形態を変えることができる。
【００１５】
また、前記バッグは、前記第二側部が透明であってもよい。この場合、第二収納部に収納した物を外部から目視することができる。
【００１６】
また、前記バッグは、前記第一収納部の内側より前記上下方向の上側に向かって提手を備えてもよい。この場合、提手は第二側部に取り付けられないので外観上の見栄えが良い。さらに、第二側部が透明の場合、第二収納部に収納された物をより広い範囲で外部から目視することができる。
【図面の簡単な説明】
【００１７】
【図１】第一の実施形態のバッグ１ａを示した正面図（断面図）であり、第二収納部３に物１００が収納された状態を示す。
【図２】第一の実施形態のバッグ１ａを示した斜視図であり、第二収納部３に物１００が収納された状態を示す。
【図３】第一の実施形態のバッグ１ａを示した図であり、（ａ）は上側から見た平面図であり、（ｂ）は（ａ）に対して第一収納部が閉じられた状態を示す。
【図４】第一の実施形態のバッグ１ａを示した図であり図３（ａ）におけるＣ視図である。
【図５】第一の実施形態のバッグ１ａの制作過程を示した図であって、図３（ａ）における断面Ｂ−Ｂであり、（ａ）はバッグ１ａにおける袋状部材５０ａの状態を示し、（ｂ）は（ａ）に対して第二収納部を形成する過程を示す。
【図６】第一の実施形態のバッグ１ａの制作過程を示した図であって、図３（ａ）における断面Ｂ−Ｂであり、（ａ）は図５（ｂ）からさらに制作を進めた状態を示し、（ｂ）は（ａ）に対して第一開口部６の上側を接合し、バッグ１ａの商品形態を示す。
【図７】第一の実施形態のバッグ１ａを示した図であって、図３（ａ）における断面Ｂ−Ｂであり、図６（ｂ）のバッグ１ａの第二開口部９から物１００が挿入された状態を示す。
【図８】第二の実施形態のバッグ１ｂを示した図であり、（ａ）は第二接合部材１２が面ファスナー４１の場合を示し、（ｂ）は第二接合部材１２がボタン４２の場合を示す。
【図９】第二の実施形態のバッグ１ｂを示した図であり、第二接合部材１２を分離させて第一収納部２のみを有する状態を示す。
【図１０】第三の実施形態のバッグ１ｃを示した斜視図であり、第一の実施形態のバッグ１ａに対して提手１８ｂが第二側部の平面方向の外側に取り付けられたものを示す。
【図１１】第三の実施形態のバッグ１ｃを示した図であり、（ａ）はバッグ１ｃを上側から見た平面図であり、（ｂ）は（ａ）におけるＤ視図である。
【図１２】第四の実施形態のバッグ１ｄの制作過程を示した図であって、（ａ）はバッグ１ｄを形成する袋状部材５０ｂの状態を示し、（ｂ）は（ａ）に対して第二収納部３を形成する過程を示す。
【図１３】第四の実施形態のバッグ１ｄを示した図であって、（ａ）はバッグ１ｄの商品形態を示し、（ｂ）は（ａ）に対して物１００が収納されて第二開口部９が閉じられた状態を示す。
【発明を実施するための形態】
【００１８】
以下、図面を参照し、本発明を具現化したバッグ１を説明する。参照する図面は、本発明が採用しうる技術的特徴を説明するために用いられるものである。図面に記載されている装置の構成は、それのみに限定する趣旨ではなく、単なる説明例である。
【００１９】
＜バッグ１共通の構成＞
図１〜図４を参照して、バッグ１の概要を説明する。第一の実施形態のバッグ１ａから第四の実施形態のバッグ１ｄはそれぞれ後述するが、まず、共通の構成を説明する。バッグ１は、第一底部４と、第一底部４に対して上下方向の上側に延びる側部５とからなる袋状部材５０によって形成された第一収納部２と第二収納部３とを備える。上下方向と直交する方向を平面方向とする。なお、バッグ１は、上下方向において第一底部４が下側端部にあるとして説明する。
【００２０】
第一収納部２は、第一底部４と、側部５の一部である第一側部５ａによって袋状に形成され、側部５の一部が平面方向の外側に向かって折り曲げられた第一稜線６ａによって第一開口部６が形成される。第二収納部３は、平面方向において、第一収納部２を形成する第一側部５ａと、第一稜線６ａにて側部５が折り曲げられて形成された第二側部８とに挟まれて、第一収納部２の外側に環状に形成される。第二収納部３は、上下方向において第二側部８のうちの第一側部５ａに連続する側とは反対側の端部である第二稜線９ａと、第一側部５ａとに囲われて、平面方向に第二開口部９が形成される。後述するが、第一の実施形態のバッグ１ａから第三の実施形態のバッグ１ｃにおいて、第二稜線９ａ及び第二開口部９は、上下方向の下側に形成される。また、第四の実施形態のバッグ１ｄは、第二稜線９ａ及び第二開口部９が上下方向の上側に形成される。第一側部５ａと第二側部８は、いずれも側部５によって形成される。
【００２１】
平面方向における外側と内側についてさらに詳細に説明する。第一開口部６、第一収納部２、第二開口部９、及び第二収納部３は環状に形成されており、平面方向におけるそれぞれの中心に対して、中心から遠ざかる方向が外側であり、中心に向かう方向が内側である。例えば、図２に示すように、第一開口部６の第一稜線６ａにおいて、第一開口部６の中心から遠ざかる方向が第一稜線６ａの外側であり、中心に向かう方向が第一稜線６ａの内側である。また、第一稜線６ａと第二稜線９ａが形成される方向を周方向とする。第二収納部３は、第一収納部２の周りを平面方向の外側であって、周方向に環状に形成される。
【００２２】
バッグ１は、種々の材料を選択することができる。柔軟性のある材料が好ましいが、例えば、ポリエチレン、ナイロン、ビニール等の樹脂材料、或いはポリエステル繊維、ポリウレタン繊維等を選択することができる。本発明の趣旨を逸脱しない範囲でその他の材料を選択することも可能である。
【００２３】
第二側部８は透明である。図２、図４に示すように、第二収納部３に物１００が収納されたとき、外部から物１００を視認可能である。また、第二側部８のみに限らず、第一側部５ａを含めた他の要素の全てが透明であってもよい。或いは、第二側部８のみが透明であってもよい。
【００２４】
図１から図４に示すように、バッグ１は、第一収納部２の内側より上側に向かって提手１８ａを備える。提手１８ａの周辺には、第一側部５ａの平面方向内側に補強部材３０が取り付けられている。図１において、補強部材３０は提手１８ａの周辺の一部のみに取り付けられているが、周方向の全周に渡って取り付けられても良い。第二側部８が透明の場合、第二収納部３に収納された物１００は、提手１８ａ又は補強部材３０に遮られることなく外部から目視可能である。
【００２５】
図２及び図３に示すように、第一側部５ａの平面方向内側には、第三接合部材３１が複数箇所に取り付けられている。図３（ａ）は、第三接合部材３１が分離して第一開口部６が開かれた状態を示し、図３（ｂ）は、対向する第三接合部材３１が互いに接合して、第一開口部６が閉じられた状態を示す。
【００２６】
＜実施形態１のバッグ１ａの構成＞
次に、本発明に係る第一の実施形態のバッグ１ａを説明する。図１、図６、図７に示すように、第二開口部９は第二収納部３の下側に形成され、第一開口部６とは上下方向において逆の方向に形成されている。すなわち、第一収納部２と第二収納部３とは、物１００を挿入する方向が互いに逆になる。
【００２７】
また、図１、図５〜図７に示すように、バッグ１ａは、第二側部８における下側の端部と、第一側部５ａにおける下側の端部とは、互いに接合する第一接合部材１０を備える。第一接合部材１０が接合することにより第二開口部９が閉じられて第二底部７が形成される。第二収納部３は、上下方向の下側に第二開口部９が形成されるため、通常はバッグ１ａを上下方向に反転させて物１００を挿入し、その後第一接合部材１０を接合させて閉じる。
【００２８】
また、バッグ１ａは、第一稜線６ａが第一側部５ａと第二側部８とが接合される接合部１１を備える。図７に示すように、バッグ１ａの接合部１１は固定されている。第二収納部３は、第一側部５ａから連続した袋状部材５０ａが第一稜線６ａにおいて折り曲げられて形成されるが、折り曲げられた箇所で接合部１１が形成される。バッグ１ａは、接合部１１によって第一収納部２と第二収納部３との境界が形成される。
【００２９】
＜実施形態２のバッグ１ｂの構成＞
次に、本発明に係る第二の実施形態のバッグ１ｂを説明する。第一の実施形態のバッグ１ａと同様の構成は同様の符号を付すか或いは省略し、説明を省略する場合がある。後述する第三の実施形態のバッグ１ｃと第四の実施形態のバッグ１ｄも同様である。
【００３０】
図８及び図９に示すように、バッグ１ｂは、第一稜線６ａにおける接合部１１は第二接合部材１２を備え、第二接合部材１２は分離可能である。図８は、バッグ１ｂの接合部１１が、第二接合部材１２によって接合された状態を示す。図８（ａ）は、第二接合部材１２が面ファスナー４１の場合を示し、図８（ｂ）は、第二接合部材１２がボタン４２の場合を示す。いずれも、第二接合部材１２を分離可能である。
【００３１】
また、バッグ１ｂは、図９に示すように、第二接合部材１２を分離して第二側部８を上側の方向に伸ばしたとき、第一収納部２のみを有する。この場合、第一収納部２の上下方向の長さは、図８における第一収納部２と第二収納部３との上下方向の長さを加えた長さとほぼ同等となる。
【００３２】
また、図示しないが、提手１８ａは、面ファスナー或いはボタン等によって取り外し可能である。提手１８ａが取り付けられる場所は１箇所に限定されず、複数箇所に取り付け可能である。バッグ１ｂは、図８（ａ）に示すように第一収納部２と第二収納部３とを備えた状態と、図９に示すように第一収納部２のみを備えた状態との選択が可能である。この場合、提手１８ａが取り付けられる最適な位置及び向きは異なるので、バッグ１ｂの形態によって提手１８ａの取付位置が変更可能である。
【００３３】
＜実施形態３のバッグ１ｃの構成＞
次に、本発明に係る第三の実施形態のバッグ１ｃを説明する。バッグ１ｃは、第一の実施形態のバッグ１ａと第二の実施形態のバッグ１ｂとは、提手１８の位置が異なる。他の構成は、バッグ１ａまたはバッグ１ｂと同様であるので、説明は省略する。図１０、図１１に示すように、バッグ１ｃの提手１８ｂは、第二側部８の平面方向の外側に備えられる。
【００３４】
＜実施形態４のバッグ１ｄの構成＞
次に、本発明に係る第四の実施形態のバッグ１ｄを説明する。バッグ１ｄは、第一の実施形態のバッグ１ａから第三の実施形態のバッグ１ｃまでとは異なり、第一開口部６と第二開口部９とが上下方向の同じ方向に開口する。図１２及び図１３に示すように、第二収納部３は、袋状部材５０ｂの側部５を２回折り曲げて形成される。製造方法の詳細は後述する。
【００３５】
＜バッグ１ａ、１ｂの製造方法＞
次に、図５〜図７を参照してバッグ１ａの製造方法を説明する。上下方向は、バッグ１ａが完成した状態を想定して説明する。図５〜図７は、図３（ａ）における断面Ｂ−Ｂに相当する図である。図５（ａ）は、袋状部材５０ａ（５０）に予め提手１８ａが取り付けられた状態を示す。二点鎖線５１ａは、第一開口部６が形成される位置を示す折り曲げ線であり仮想線である。袋状部材５０ａ（５０）の平面方向の内側には、第二底部７を形成する第一接合部材１０（例として面ファスナー、又はボタン）が複数箇所に取り付けられている。提手１８ａは、側部５の平面方向の外側に取り付けられている。
【００３６】
図５（ｂ）に示すように、袋状部材５０ａの上下方向の上側の部分を下側へ向かって折り込むことにより、第一収納部２となる凹部を形成していく。図５（ｂ）は袋状部材５０ａが折り込まれる過程を示す。
【００３７】
図６（ａ）は、袋状部材５０ａが所定の位置まで折り込まれた状態を示す。この状態で、第二開口部９が下側に向かって開口して形成される。図６（ｂ）は、図６（ａ）に対して、接合部１１が固定された状態を示す。接合部１１は、加熱溶着、或いは接着その他の方法で接合して固定される。これに対して、第二の実施形態のバッグ１ｂは面ファスナー４１又はボタン４２によって分離可能に接合される。
【００３８】
図６（ｂ）の状態は、バッグ１ａが販売等される形態を示している。図７は、図６（ｂ）に示したバッグ１ａの第二収納部３に物１００を挿入した状態を示す。第二開口部９より物１００を挿入する。第二収納部３の上下方向の上側の端部は、接合部１１にて接合されているので、物１００が第二収納部３から逸脱することは無い。図７からさらに第一接合部材１０によって第二開口部９を閉じて第二底部７を形成した状態が図１に示される。
【００３９】
提手１８ａ及び補強部材３０は、予め袋状部材５０ａの平面方向の外側に取り付けられた例を示したがこれに限らない。例えば、図６（ｂ）に示す状態で、後から提手１８ａ及び補強部材３０を取り付けても良い。提手１８ａは固定的に取り付けられていなくても良い。なお、第三の実施形態のバッグ１ｃは、バッグ１ａ又はバッグ１ｂと提手１８の位置が異なるのみなので製造方法の説明は省略する。
【００４０】
＜バッグ１ｄの製造方法＞
次に、図１２、図１３を参照して、第四の実施形態のバッグ１ｄの製造方法を説明する。図１２（ａ）に示すように、バッグ１ｄにおける袋状部材５０ｂの上下方向のサイズは、バッグ１ａ〜バッグ１ｃの袋状部材５０ａに比べて長い。２箇所の二点鎖線５１ｂは、第一開口部６が形成される位置を示す折り曲げ線であり仮想線である。バッグ１ａ〜バッグ１ｃとは異なり、袋状部材５０ｂを折り曲げる回数が２回である。袋状部材５０ｂは２回折曲げが必要なので、比較的柔軟で伸縮可能な材質が適する。或いは、袋状部材５０ｂは厚みが薄い物が選択される。
【００４１】
図１２（ｂ）に示すように、図１２（ａ）の状態から上側の二点鎖線５１ｂの位置で袋状部材５０ｂの上下方向の下側部分を上側へ折り曲げてひっくり返す。さらに、図１３（ａ）に示すように、下側の二点鎖線５１ｂの位置で下側へ折り曲げて再度ひっくり返す。第一側部５ａは上下方向に２重に重なり、側部接合部５２において固定される。第一開口部６と第二開口部９は上下方向において同じ方向に開口する。図１３（ｂ）に示すように、第二開口部９から物１００が挿入され、第一接合部材１０によって第二開口部９が閉じられる。
【００４２】
＜共通の作用・効果＞
以上説明したように、バッグ１は種々の効果を奏する。まず、第一の実施形態のバッグ１ａから第四の実施形態のバッグ１ｄに共通する作用と効果を説明する。図１〜図４に示すように、バッグ１は、袋状部材５０によって第一収納部２と第二収納部３とが形成される。第一収納部２は、第一底部４と、側部５の一部である第一側部５ａによって袋状に形成され、側部５の一部が平面方向の外側に向かって折り曲げられた第一稜線６ａによって第一開口部６が形成される。第二収納部３は、平面方向において、第一収納部２を形成する第一側部５ａと、第一稜線６ａにて側部５が折り曲げられて形成された第二側部８とに挟まれて、第一収納部２の外側に環状に形成される。第二収納部３は、上下方向において第二側部８のうちの第一側部５ａに連続する側とは反対側の端部である第二稜線９ａと、第一側部５ａとに囲われて、平面方向に第二開口部９が形成される。すなわち、バッグ１は一つの袋状部材５０によって２つの収納部が形成されるので、部品点数が少なくなり制作費用を安価にすることができる。
【００４３】
また、第二収納部３は、周方向に環状に形成されるので、例えば帯を環状にした帯加工品をそのまま収納することができる。或いは、第二収納部３は、第一収納部２に比べて平面方向の収納幅が小さいので、例えば賞状や連長紙のように丸めるか或いは折り曲げて運ぶようなものであっても環状にしてそのまま収納することができる。
【００４４】
また、バッグ１の外周を形成する第二側部８は透明である。図２、図４に示すように、第二収納部３に物１００が収納されたとき、外部から物１００を視認可能である。よって、例えば物１００が、和風でしかも華やかな模様である環状に形成された帯加工品である場合、第二収納部３に模様面が平面方向の外側になるように収納することにより、外観上とても華やかである。或いは、物１００が広告宣伝用のチラシである場合、第二収納部３に物１００を収納すると外側から広告内容を目視できるので、バッグ１が広告塔の役割を果たす。
【００４５】
また、図２及び図３に示すように、第一側部５ａの平面方向内側には、第三接合部材３１が複数箇所に取り付けられている。よって、第三接合部材３１を接合させることにより、第一開口部６を閉じることができる。或いは、第三接合部材３１を分離することにより、第一開口部６を開口することができる。
【００４６】
＜第一の実施形態のバッグ１ａの作用・効果＞
次に、本発明に係る第一の実施形態のバッグ１ａの作用・効果を説明する。図１、図６、図７に示すように、第二開口部９は第二収納部３の下側に形成され、第一開口部６とは上下方向において逆の方向に形成されている。この場合、第一開口部６を上側にしてバッグ１ａを使用したとき、第二収納部３には雨或いは埃等が入りにくい。また、第一開口部６と第二開口部９とは上下方向において互いに反対側にあるので、第一収納部２及び第二収納部３のそれぞれに物１００を収納するとき挿入しやすい。
【００４７】
例えば、バッグ１ａの概観を装飾的にするために、第二収納部３に物１００として帯加工品を挿入することが考えられる。この場合、第一収納部２へ物１００を挿入する頻度に比べて、第二収納部３へ帯加工品を入れ替える頻度は低い。第一収納部２は物１００の入れ替え頻度が高いため、挿入は上下方向の上側から行う。第二収納部３は物１００の入れ替え頻度が比較的低いので、挿入は上下方向の下側から行うのは合理的である。また、物１００を挿入する際に、第一開口部６と第二開口部９とが隣接している場合に比べ、上下方向で異なる位置の方が挿入しやすい。
【００４８】
また、図１に示すように、バッグ１ａは第一接合部材１０が接合することにより第二開口部９が閉じられて第二底部７が形成される。この場合、第一開口部６を上側にしてバッグ１ａを持ったときに、第二開口部９から収納された物１００が落ちることを防止できる。
【００４９】
また、図１〜図４に示すように、バッグ１ａは、第一開口部６が、第一側部５ａと第二側部８とが接合される接合部１１を備える。この場合、第一開口部６が接合部１１によって接合されることにより、第一開口部６の上下方向における位置が変動することを防止できる。また、接合部１１が固定されることにより、第一開口部６の剛性がさらに高まる。
【００５０】
また、図１〜図４に示すように、バッグ１は第一収納部２の内側より上側に向かって提手１８ａを備える。よって、バッグ１の外周である第二側部８には提手１８ａが無いので第二収納部３に挿入された物１００を遮ることがない。さらに、提手１８ａは、第一側部５ａの平面方向の内側に取り付けられているので、第一収納部２に重量物が収納されても持ちやすい。なお、これは第三の実施形態のバッグ１ｃを除くバッグ１（１ａ、１ｂ、１ｄ）に共通する内容である。
【００５１】
＜第二の実施形態のバッグ１ｂの作用・効果＞
次に、第二の実施形態のバッグ１ｂの作用・効果を説明する。図８、図９に示すように、バッグ１ｂの第二接合部材１２は分離可能である。第二接合部材１２を分離して第二側部８を上側の方向に伸ばしたとき、バッグ１ｂは上下方向の長さが長くなった第一収納部２のみを有することができる。よって、バッグ１ｂは、第一収納部２と第二収納部３の２箇所の収納部を有する状態と、第一収納部２の１箇所のみの収納部を有する状態とを選択して使用できる。バッグ１ｂは、収納する物１００の種類、サイズ、或いは量に応じて状態を選択することができる。
【００５２】
＜第三の実施形態のバッグ１ｃの作用・効果＞
次に、第三の実施形態のバッグ１ｃの作用・効果を説明する。図１０、図１１に示すように、バッグ１ｃの提手１８ｂは、第二側部８の平面方向の外側に備えられる。よって、第一側部５ａには提手１８ｂが無いため、第一収納部２に物１００を挿入するときに邪魔にならず収納しやすい。
【００５３】
＜第四の実施形態のバッグ１ｄの作用・効果＞
次に、第四の実施形態のバッグ１ｄの作用・効果を説明する。図１３に示すように、第一開口部６と第二開口部９とが上下方向の同じ方向に開口する。よって、第一収納部２及び第二収納部３に物１００を挿入する場合、同じ方向から挿入することができる。また、第一側部５ａは上下方向に２重に重なり、側部接合部５２において固定されるので、第一収納部２の剛性が高まる。
【００５４】
＜変形例＞
なお、本発明は上記の実施形態に限定されるものではなく、種々の変更が可能である。バッグ１は第二側部８が透明の場合について説明したが、これに限らない。例えば、第二側部８は網目状の部材を使用することにより、第二収納部３に収納された物１００を外側から目視することができる。
【符号の説明】
【００５５】
１、１ａ、１ｂ、１ｃ、１ｄ    バッグ
２    第一収納部
３    第二収納部
４    第一底部
５    側部
５ａ    第一側部
６    第一開口部
６ａ    第一稜線
７    第二底部
８    第二側部
９    第二開口部
９ａ    第二稜線
１０    第一接合部材
１１    接合部
１２    第二接合部材
１８    提手
５０    袋状部材
５０ａ    袋状部材
５０ｂ    袋状部材
【図１】
2020000338.tif 000003
【図２】
2020000338.tif 000004
【図３】
2020000338.tif 000005
【図４】
2020000338.tif 000006
【図５】
2020000338.tif 000007
【図６】
2020000338.tif 000008
【図７】
2020000338.tif 000009
【図８】
2020000338.tif 000010
【図９】
2020000338.tif 000011
【図１０】
2020000338.tif 000012
【図１１】
2020000338.tif 000013
【図１２】
2020000338.tif 000014
【図１３】
2020000338.tif 000015